(57)【要約】【課題】充電対象のバッテリが短期間に頻繁に入れ替わるのを防ぐ。【解決手段】バッテリを備える外部機器が接続及び接続解除可能な電子機器を、電子機器のバッテリ及び外部機器のバッテリを充電可能な充電部と、外部機器の接続を検出する検出部と、電子機器のバッテリの充電中に検出部によって外部機器の接続が所定時間継続して検出されると、充電部による充電対象のバッテリを外部機器のバッテリに設定する設定部とを備える構成とする。【選択図】図３
2020150704.tif 000002
【特許請求の範囲】
【請求項１】
バッテリを備える外部機器が接続及び接続解除可能な電子機器において、
前記電子機器のバッテリ及び前記外部機器のバッテリを充電可能な充電部と、
前記外部機器の接続を検出する検出部と、
前記電子機器のバッテリの充電中に前記検出部によって前記外部機器の接続が所定時間継続して検出されると、前記充電部による充電対象のバッテリを前記外部機器のバッテリに設定する設定部と、
を備える、
電子機器。
【請求項２】
前記電子機器のバッテリの電圧及び前記外部機器のバッテリの電圧を検出する電圧検出部と、
前記電圧検出部によって検出された前記電子機器のバッテリの電圧と前記外部機器のバッテリの電圧とを比較し、何れのバッテリの電圧が低いかを判定する判定部と、
を更に備え、
前記設定部は、
前記電子機器のバッテリの充電中に前記検出部によって前記外部機器の接続が所定時間継続して検出され、かつ前記判定部によって前記外部機器のバッテリの電圧が前記電子機器のバッテリの電圧よりも低いと判定された場合に、前記充電部による充電対象のバッテリを前記外部機器のバッテリに設定する、
請求項１に記載の電子機器。
【請求項３】
前記設定部は、
前記充電部によって前記外部機器のバッテリの充電が完了すると、前記充電部による充電対象のバッテリを前記電子機器のバッテリに設定する、
請求項１又は請求項２に記載の電子機器。
【請求項４】
前記検出部は、
前記外部機器の接続を検出するためのスイッチ部材を有する、
請求項１から請求項３の何れか一項に記載の電子機器。
【請求項５】
前記検出部は、
前記外部機器の接続を電気的に検出するための端子を有する、
請求項１から請求項３の何れか一項に記載の電子機器。
【請求項６】
前記検出部は、
前記外部機器と無線通信可能な通信部を有し、
前記通信部による前記外部機器との無線通信により、前記外部機器の接続を検出する、
請求項１から請求項３の何れか一項に記載の電子機器。
【請求項７】
前記電子機器のバッテリと前記外部機器のバッテリの何れが充電中であるかを報知する報知部
を更に備える、
請求項１から請求項６の何れか一項に記載の電子機器。
【請求項８】
前記電子機器は、
バッテリを内蔵したバッテリグリップと、前記バッテリグリップが接続及び接続解除可能な撮影装置の一方であり、
前記外部機器は、
前記バッテリグリップと前記撮影装置の他方である、
請求項１から請求項７の何れか一項に記載の電子機器。
【請求項９】
バッテリを備える外部機器が接続及び接続解除可能な電子機器であって、前記電子機器のバッテリ及び前記外部機器のバッテリを充電可能な充電部を備える電子機器が実行する方法において、
前記電子機器のバッテリの充電中に前記外部機器が所定時間継続して接続されたか否かを判定するステップと、
前記電子機器のバッテリの電圧と前記外部機器のバッテリの電圧とを比較し、何れのバッテリの電圧が低いかを判定するステップと、
前記電子機器のバッテリの充電中に前記外部機器が所定時間継続して接続されたと判定され、かつ前記外部機器のバッテリの電圧が前記電子機器のバッテリの電圧よりも低いと判定された場合に、前記充電部による充電対象のバッテリを前記外部機器のバッテリに設定するステップと、
を含む、
電子機器が実行する方法。
【発明の詳細な説明】
【技術分野】
【０００１】
本発明は、電子機器に関する。
【背景技術】
【０００２】
複数のバッテリの中から充電対象のバッテリを設定し、設定された充電対象のバッテリを充電する電子機器が知られている。例えば特許文献１に、各バッテリの充電電流を検出し、検出された充電電流に基づいて各バッテリの充電効率を算出し、算出された充電効率の高いバッテリを充電する電子機器が記載されている。
【０００３】
この種の電子機器の一例として、外部機器が接続及び接続解除可能な電子機器であって、電子機器自体のバッテリだけでなく外部機器のバッテリも充電することができるものがある。この電子機器は、例えば、電子機器のバッテリを充電しているときに外部機器が接続されると、充電対象のバッテリを電子機器のバッテリから外部機器のバッテリに切り替え、かつ外部機器のバッテリを充電しているときに外部機器の接続が解除されると、充電対象のバッテリを外部機器のバッテリから電子機器のバッテリに切り替える構成となっている。
【先行技術文献】
【特許文献】
【０００４】
【特許文献１】特開平１１−２８５１５８号公報
【発明の概要】
【発明が解決しようとする課題】
【０００５】
この構成の電子機器では、外部機器を電子機器に接続する際、外部機器と電子機器間の接続部の接触が安定していないと、その接触状態により、充電対象のバッテリ（言い換えると、充電されるバッテリ）が外部機器のバッテリと電子機器のバッテリ間で短期間に頻繁に入れ替わることがある。このように、充電対象のバッテリが短期間に頻繁に入れ替わると、これらのバッテリにダメージが蓄積されてバッテリの劣化が早まってしまう。
【０００６】
本発明は上記の事情に鑑みてなされたものであり、その目的とするところは、充電対象のバッテリが短期間に頻繁に入れ替わるのを防ぐのに好適な電子機器を提供することである。
【課題を解決するための手段】
【０００７】
本発明の一実施形態に係る電子機器は、バッテリを備える外部機器が接続及び接続解除可能な機器であり、電子機器のバッテリ及び外部機器のバッテリを充電可能な充電部と、外部機器の接続を検出する検出部と、電子機器のバッテリの充電中に検出部によって外部機器の接続が所定時間継続して検出されると、充電部による充電対象のバッテリを外部機器のバッテリに設定する設定部とを備える。
【０００８】
本発明の一実施形態に係る方法は、バッテリを備える外部機器が接続及び接続解除可能な電子機器であって、電子機器のバッテリ及び外部機器のバッテリを充電可能な充電部を備える電子機器が実行する方法であり、電子機器のバッテリの充電中に外部機器が所定時間継続して接続されたか否かを判定するステップと、電子機器のバッテリの電圧と外部機器のバッテリの電圧とを比較し、何れのバッテリの電圧が低いかを判定するステップと、電子機器のバッテリの充電中に外部機器が所定時間継続して接続されたと判定され、かつ外部機器のバッテリの電圧が電子機器のバッテリの電圧よりも低いと判定された場合に、充電部による充電対象のバッテリを外部機器のバッテリに設定するステップとを含む。
【発明の効果】
【０００９】
本発明の一実施形態によれば、充電対象のバッテリが短期間に頻繁に入れ替わるのを防ぐのに好適な電子機器が提供される。
【図面の簡単な説明】
【００１０】
【図１】本発明の第１実施形態に係る電子機器及び外部機器の概略構成を示す図である。図１（ａ）は、電子機器と外部機器とが接続されていない状態を示す斜視図であり、図１（ｂ）は、電子機器と外部機器とが接続された状態を示す斜視図であり、図１（ｃ）は、電子機器を底面側から見た斜視図である。
【図２】本発明の第１実施形態に係る電子機器及び外部機器のブロック図である。
【図３】本発明の第１実施形態において、電子機器の電源端子に外部電源が接続されたときに電子機器のＣＰＵが実行するフローチャートである。
【図４】本発明の第１実施形態の変形例において、電子機器の電源端子に外部電源が接続されたときに電子機器のＣＰＵが実行するフローチャートである。
【図５】本発明の第２実施形態に係る電子機器及び外部機器のブロック図である。
【図６】本発明の第２実施形態において、外部機器の電源端子に外部電源が接続されたときに外部機器のＣＰＵが実行するフローチャートである。
【図７】本発明の第２実施形態の変形例において、外部機器の電源端子に外部電源が接続されたときに外部機器のＣＰＵが実行するフローチャートである。
【図８】図８（ａ）及び図８（ｂ）は、本発明の実施形態の変形例１に係る電子機器及び外部機器の概略構成を示す図である。
【図９】図９（ａ）及び図９（ｂ）は、本発明の実施形態の変形例２に係る電子機器及び外部機器の概略構成を示す図である。
【図１０】図１０（ａ）〜図１０（ｄ）は、本発明の実施形態の変形例３に係る電子機器及び外部機器の概略構成を示す図である。
【図１１】本発明の実施形態の変形例４に係る電子機器及び外部機器のブロック図である。
【図１２】本発明の実施形態の変形例５に係る電子機器及び外部機器のブロック図である。
【図１３】本発明の実施形態の変形例６に係る外部機器の概略構成を示す図である。
【発明を実施するための形態】
【００１１】
以下、本発明の一実施形態に係る電子機器及び外部機器について図面を参照しながら説明する。
【００１２】
［第１実施形態］
図１は、本発明の第１実施形態に係る電子機器１及び外部機器２の概略構成を示す図である。外部機器２は、電子機器１に対して接続及び接続解除可能な機器である。
【００１３】
第１実施形態において電子機器１は撮影装置であり、例示的には、デジタル一眼レフカメラである。電子機器１は、デジタル一眼レフカメラに限らず、ミラーレス一眼カメラ、コンパクトデジタルカメラ、ビデオカメラ、カムコーダ、デスクトップＰＣ、ノートＰＣ、タブレット端末、ＰＨＳ（Personal Handy phone System）、スマートフォン、フィーチャフォン、ゲーム機等の、他の機器であってもよい。
【００１４】
第１実施形態において外部機器２は撮影装置の周辺機器であり、例示的には、バッテリグリップである。外部機器２は、バッテリグリップに限らず、外部フラッシュ、外部マイク、ＧＰＳ（Global Positioning Satellite）ユニット、外付けファインダ等の、他の機器であってもよい。
【００１５】
第１実施形態では、撮影装置を電子機器１とし、周辺機器を外部機器２としているが、別の実施形態では、周辺機器を電子機器１とし、撮影装置を外部機器２としてもよい。
【００１６】
図１（ａ）は、電子機器１と外部機器２とが接続されていない状態を示す斜視図である。図１（ｂ）は、電子機器１と外部機器２とが接続された状態を示す斜視図である。図１（ｃ）は、電子機器１を底面（接続面１ａ）側から見た斜視図である。
【００１７】
電子機器１の側面には電源端子１０が設けられている。外部機器２には、外部機器２の側面から外部機器２内に装填及び外部機器２から取り外し可能なバッテリトレー２０が設けられている。
【００１８】
電子機器１の接続面１ａには、バッテリ室（不図示）の蓋１１、三脚用ねじ穴１２、接続端子１３及びスイッチ１４が設けられている。
【００１９】
外部機器２には、ディスク２１が設けられている。ディスク２１の一部は、外部機器２の側面から突出している。
【００２０】
外部機器２の上面（接続面２ａ）には、ねじ２２、接続ピン２３及びスイッチ２４が設けられている。ねじ２２は、ディスク２１と機械的に連結している。ユーザが指等を用いてディスク２１を回すと、ねじ２２が回転する。
【００２１】
電子機器１と外部機器２とを接続する際、ユーザは、電子機器１の接続面１ａと外部機器２の接続面２ａとを合わせて、電子機器１の接続端子１３と外部機器２の接続ピン２３とを接触させる。この状態でユーザがディスク２１を回すと、ねじ２２が三脚用ねじ穴１２に徐々に締まっていく。ねじ２２が三脚用ねじ穴１２に完全に締まると（言い換えると、ディスク２１が回らなくなるまでねじ２２が締められると）、電子機器１と外部機器２とが固定されるとともに、接続ピン２３が接続端子１３との接触状態を維持しつつ接続端子１３によって外部機器２内に押し込まれる。これにより、電子機器１と外部機器２とが機械的かつ電気的に接続される。また、このとき、スイッチ１４とスイッチ２４とが押し当り、スイッチ１４が電子機器１内に押し込まれるとともにスイッチ２４が外部機器２内に押し込まれる。
【００２２】
図２は、電子機器１及び外部機器２のブロック図である。
【００２３】
図２に示されるように、電子機器１、外部機器２は、それぞれ、ＣＰＵ（Central Processing Unit）１００、ＣＰＵ２００を備える。ＣＰＵ１００は、スイッチ１４が押し込まれると、外部機器２が電子機器１に接続されたことを検出する。ＣＰＵ２００は、スイッチ２４が押し込まれると、電子機器１が外部機器２に接続されたことを検出する。
【００２４】
ＣＰＵ１００及びスイッチ１４は、外部機器２の接続を検出する検出部として動作する。ＣＰＵ２００及びスイッチ２４は、電子機器１の接続を検出する検出部として動作する。
【００２５】
電子機器１のバッテリ１１０は、電子機器１のバッテリ室内に装填及びバッテリ室から取り外し可能となっている。ユーザは、接続面１ａの蓋１１を開けて、バッテリ１１０をバッテリ室内に装填したり、バッテリ１１０をバッテリ室内から取り外したりすることができる。
【００２６】
電子機器１は、充電制御回路１２０及び切替スイッチ１３０を備える。バッテリ室内に装填されたバッテリ１１０は、電源端子１０、充電制御回路１２０、切替スイッチ１３０を介して供給される電力（例えば商用電源等の外部電源）により充電される。
【００２７】
外部機器２のバッテリ２１０は、バッテリトレー２０に取り付け及びバッテリトレー２０から取り外し可能となっている。ユーザは、バッテリ２１０が取り付けられたバッテリトレー２０を外部機器２０の側面から外部機器２内に装填したり、バッテリ２１０が取り付けられたバッテリトレー２０を外部機器２から取り外したりすることができる。
【００２８】
外部機器２内に装填されたバッテリ２１０は、電源端子１０、充電制御回路１２０、切替スイッチ１３０、接続端子１３及び接続ピン２３を介して供給される電力（例えば商用電源）により充電される。また、外部機器２内に装填されたバッテリ２１０は、接続ピン２３及び接続端子１３を介して電子機器１の各部に電力を供給することができる。
【００２９】
図３に、第１実施形態において外部電源が電源端子１０に接続されたときにＣＰＵ１００が実行するフローチャートを示す。
【００３０】
ＣＰＵ１００は、電源端子１０に外部電源が接続されると、バッテリ１１０がバッテリ室内に装填されているか否かを判定する（ステップＳ１０１）。
【００３１】
切替スイッチ１３０は、充電制御回路１２０をバッテリ１１０と接続端子１３の一方に切替可能に接続する構成となっている。
【００３２】
ＣＰＵ１００は、バッテリ１１０がバッテリ室内に装填されていると判定すると（ステップＳ１０１：ＹＥＳ）、切替スイッチ１３０をバッテリ１１０側にスイッチングして充電制御回路１２０とバッテリ１１０とを接続させるとともに、充電制御回路１２０を制御して接続先（すなわちバッテリ１１０）への充電を開始させる（ステップＳ１０２）。これにより、バッテリ１１０が充電される。
【００３３】
ＣＰＵ１００は、外部機器２が電子機器１に接続されたか否かを判定する（ステップＳ１０３）。ＣＰＵ１００は、外部機器２が電子機器１に接続されたと判定すると（ステップＳ１０３：ＹＥＳ）、外部機器２が電子機器１に所定時間継続して接続されたか否かを判定する（ステップＳ１０４）。ＣＰＵ１００は、内蔵されているタイマ１００ａ（又はＣＰＵ２００に内蔵されているタイマ２００ａ）により外部機器２の接続時間を計時する。
【００３４】
ＣＰＵ１００は、外部機器２が電子機器１に接続されていないと判定した場合（ステップＳ１０３：ＮＯ）又は外部機器２が電子機器１に所定時間継続して接続されていないと判定した場合（ステップＳ１０４：ＮＯ）、バッテリ１１０の充電が完了したか否かを判定する（ステップＳ１０５）。
【００３５】
ＣＰＵ１００がバッテリ１１０の充電が完了したと判定すると（ステップＳ１０５：ＹＥＳ）、本フローチャートの処理が終了する。ＣＰＵ１００がバッテリ１１０の充電が完了していないと判定すると（ステップＳ１０５：ＮＯ）、本フローチャートの処理がステップＳ１０３に戻り、ステップＳ１０３以降の処理が再度実行される。
【００３６】
ＣＰＵ１００は、外部機器２が電子機器１に所定時間継続して接続されたと判定すると（ステップＳ１０４：ＹＥＳ）、切替スイッチ１３０を接続端子１３側にスイッチングする。これにより、充電制御回路１２０が切替スイッチ１３０、接続端子１３及び接続ピン２３を介してバッテリ２１０と接続される。ＣＰＵ１００は、充電制御回路１２０を制御して接続先（すなわちバッテリ２１０）への充電を開始させる（ステップＳ１０６）。これにより、バッテリ２１０が充電される。
【００３７】
充電制御回路１２０は、バッテリ１１０及びバッテリ２１０を充電可能な充電部として動作する。ＣＰＵ１００は、検出部によって外部機器２の接続が所定時間継続して検出されると、充電部による充電対象のバッテリをバッテリ２１０に設定する設定部として動作する。
【００３８】
ＣＰＵ１００は、電子機器１に対する外部機器２の接続が解除されたか否かを判定する（ステップＳ１０７）。ＣＰＵ１００が電子機器１に対する外部機器２の接続が解除されたと判定すると（ステップＳ１０７：ＹＥＳ）、本フローチャートの処理がステップＳ１０２に戻り、バッテリ１１０の充電が再開され、ステップＳ１０３以降の処理が再度実行される。
【００３９】
ＣＰＵ１００は、電子機器１に対する外部機器２の接続が解除されていないと判定すると（ステップＳ１０７：ＮＯ）、バッテリ２１０の充電が完了したか否かを判定する（ステップＳ１０８）。ＣＰＵ１００がバッテリ２１０の充電が完了していないと判定すると（ステップＳ１０８：ＮＯ）、本フローチャートの処理がステップＳ１０７に戻り、ステップＳ１０７以降の処理が再度実行される。
【００４０】
ＣＰＵ１００は、バッテリ２１０の充電が完了したと判定すると（ステップＳ１０８：ＹＥＳ）、切替スイッチ１３０をバッテリ１１０側にスイッチングして充電制御回路１２０とバッテリ１１０とを接続させるとともに、充電制御回路１２０を制御して接続先（すなわちバッテリ１１０）への充電を再開させる（ステップＳ１０９）。これにより、バッテリ１１０が充電される。
【００４１】
ＣＰＵ１００は、バッテリ１１０の充電が完了したか否かを判定する（ステップＳ１１０）。ＣＰＵ１００がバッテリ１１０の充電が完了したと判定すると（ステップＳ１１０：ＹＥＳ）、本フローチャートの処理が終了する。
【００４２】
ねじ２２が三脚用ねじ穴１２に完全に締められるまでは、電子機器１と外部機器２との機械的及び電気的な接続が安定しない（具体的には、電子機器１と外部機器２が不規則かつ頻繁に接触状態になったり非接触状態になったりする。）。そのため、電子機器１に対する外部機器２の接続検出時や接続解除検出時に充電対象のバッテリを直ぐに切り替えると、充電対象のバッテリが短期間に頻繁に入れ替わり、これらのバッテリにダメージが蓄積されてバッテリの劣化が早まってしまう。
【００４３】
そこで、第１実施形態では、電子機器１と外部機器２との接続検出時に充電対象のバッテリを直ぐには切り替えず、この接続が所定時間継続したこと（言い換えると、電子機器１と外部機器２とが確実に接続されたこと）を確認したうえで充電対象のバッテリを切り替えるようにしている。これより、電子機器１と外部機器２との接続時における充電対象のバッテリの頻繁な入れ替わりが避けられる。バッテリに蓄積されるダメージが抑えられ、バッテリの劣化が抑えられる。
【００４４】
［第１実施形態の変形例］
図４に、第１実施形態の変形例において外部電源が電源端子１０に接続されたときにＣＰＵ１００が実行するフローチャートを示す。
【００４５】
ＣＰＵ１００、２００は、それぞれ、バッテリ１１０、２１０と接続されている。第１実施形態の変形例において、ＣＰＵ１００、２００は、それぞれ、バッテリ１１０、２１０の電圧を検出することができる。
【００４６】
図３のフローチャートでは、ＣＰＵ１００は、外部機器２が電子機器１に所定時間継続して接続されたと判定すると（ステップＳ１０４：ＹＥＳ）、バッテリ２１０の充電を開始する（ステップＳ１０６）。
【００４７】
これに対し、第１実施形態の変形例では、ＣＰＵ１００は、図４に示されるように、外部機器２が電子機器１に所定時間継続して接続されたと判定すると（ステップＳ１０４：ＹＥＳ）、ただちにバッテリ２１０への充電を開始するのではなく、まずは、バッテリ１１０の電圧及びバッテリ２１０の電圧を検出する。より正確には、ＣＰＵ１００は、バッテリ２１０の電圧については、ＣＰＵ２００が検出した電圧の情報をＣＰＵ２００と通信して取得する。
【００４８】
ＣＰＵ１００は、次いで、バッテリ１１０の電圧とバッテリ２１０の電圧とを比較し、何れのバッテリの電圧が低いか（ここではバッテリ２１０の電圧の方が低いか）を判定する（ステップＳ１０４’）。ＣＰＵ１００は、バッテリ２１０の電圧の方が低いと判定した場合（ステップＳ１０４’：ＹＥＳ）、バッテリ２１０の充電を開始する（ステップＳ１０６）。ＣＰＵ１００は、バッテリ１１０の電圧の方が低いと判定した場合には（ステップＳ１０４’：ＮＯ）、バッテリ１１０の充電が完了したか否かを判定し（ステップＳ１１０）、バッテリ１１０の充電が完了したと判定するまでバッテリ１１０の充電を継続する。
【００４９】
ＣＰＵ１００は、バッテリ１１０の電圧及びバッテリ２１０の電圧を検出する電圧検出部として動作する。また、ＣＰＵ１００は、電圧検出部によって検出されたバッテリ１１０の電圧とバッテリ２１０の電圧とを比較し、何れのバッテリの電圧が低いかを判定する判定部として動作する。
【００５０】
第１実施形態の変形例では、電圧の低いバッテリが優先的に充電される。
【００５１】
［第２実施形態］
図５は、本発明の第２実施形態に係る電子機器１ｚ及び外部機器２ｚのブロック図である。図５に示されるように、第２実施形態では、外部電源と接続される電源端子が電子機器１ｚでなく外部機器２ｚに備えられる。なお、以降の実施形態や変形例において、第１実施形態に係る電子機器１及び外部機器２と同一の又は同様の構成については、同一の又は同様の符号を付して説明を簡略又は省略する。
【００５２】
図５に示されるように、外部機器２ｚは、電源端子２５、充電制御回路２２０及び切替スイッチ２３０を備える。切替スイッチ２３０は、充電制御回路２２０をバッテリ２１０と接続ピン２３の一方に切替可能に接続する。
【００５３】
図６に、第２実施形態において外部電源が電源端子２５に接続されたときに外部機器２ｚのＣＰＵ２００ｚが実行するフローチャートを示す。
【００５４】
ＣＰＵ２００ｚは、電源端子２５に外部電源が接続されると、バッテリ２１０が外部機器２ｚ内に装填されているか否かを判定する（ステップＳ２０１）。
【００５５】
ＣＰＵ２００ｚは、バッテリ２１０が外部機器２ｚ内に装填されていると判定すると（ステップＳ２０１：ＹＥＳ）、切替スイッチ２３０をバッテリ２１０側にスイッチングして充電制御回路２２０とバッテリ２１０とを接続させるとともに、充電制御回路２２０を制御して接続先（すなわちバッテリ２１０）への充電を開始させる（ステップＳ２０２）。これにより、バッテリ２１０が充電される。
【００５６】
ＣＰＵ２００ｚは、電子機器１ｚが外部機器２ｚに接続されたか否かを判定する（ステップＳ２０３）。ＣＰＵ２００ｚは、電子機器１ｚが外部機器２ｚに接続されたと判定すると（ステップＳ２０３：ＹＥＳ）、電子機器１ｚが外部機器２ｚに所定時間継続して接続されたか否かを判定する（ステップＳ２０４）。ＣＰＵ２００ｚは、タイマ２００ａ（又はＣＰＵ１００のタイマ１００ａ）により電子機器１ｚの接続時間を計時する。
【００５７】
ＣＰＵ２００ｚは、電子機器１ｚが外部機器２ｚに接続されていないと判定した場合（ステップＳ２０３：ＮＯ）又は電子機器１ｚが外部機器２ｚに所定時間継続して接続されていないと判定した場合（ステップＳ２０４：ＮＯ）、バッテリ２１０の充電が完了したか否かを判定する（ステップＳ２０５）。
【００５８】
ＣＰＵ２００ｚがバッテリ２１０の充電が完了したと判定すると（ステップＳ２０５：ＹＥＳ）、本フローチャートの処理が終了する。ＣＰＵ２００ｚがバッテリ２１０の充電が完了していないと判定すると（ステップＳ２０５：ＮＯ）、本フローチャートの処理がステップＳ２０３に戻り、ステップＳ２０３以降の処理が再度実行される。
【００５９】
ＣＰＵ２００ｚは、電子機器１ｚが外部機器２ｚに所定時間継続して接続されたと判定すると（ステップＳ２０４：ＹＥＳ）、切替スイッチ２３０を接続ピン２３側にスイッチングする。これにより、充電制御回路２２０が切替スイッチ２３０、接続ピン２３及び接続端子１３を介してバッテリ１１０と接続される。ＣＰＵ２００ｚは、充電制御回路２２０を制御して接続先（すなわちバッテリ１１０）への充電を開始させる（ステップＳ２０６）。これにより、バッテリ１１０が充電される。
【００６０】
ＣＰＵ２００ｚは、外部機器２ｚに対する電子機器１ｚの接続が解除されたか否かを判定する（ステップＳ２０７）。ＣＰＵ２００ｚが外部機器２ｚに対する電子機器１ｚの接続が解除されたと判定すると（ステップＳ２０７：ＹＥＳ）、本フローチャートの処理がステップＳ２０２に戻り、バッテリ２１０の充電が再開され、ステップＳ２０３以降の処理が再度実行される。
【００６１】
ＣＰＵ２００ｚは、外部機器２ｚに対する電子機器１ｚの接続が解除されていないと判定すると（ステップＳ２０７：ＮＯ）、バッテリ１１０の充電が完了したか否かを判定する（ステップＳ２０８）。ＣＰＵ２００ｚがバッテリ１１０の充電が完了していないと判定すると（ステップＳ２０８：ＮＯ）、本フローチャートの処理がステップＳ２０７に戻り、ステップＳ２０７以降の処理が再度実行される。
【００６２】
ＣＰＵ２００ｚは、バッテリ１１０の充電が完了したと判定すると（ステップＳ２０８：ＹＥＳ）、切替スイッチ２３０をバッテリ２１０側にスイッチングして充電制御回路２２０とバッテリ２１０とを接続させるとともに、充電制御回路２２０を制御して接続先（すなわちバッテリ２１０）への充電を再開させる（ステップＳ２０９）。これにより、バッテリ２１０が充電される。
【００６３】
ＣＰＵ２００ｚは、バッテリ２１０の充電が完了したか否かを判定する（ステップＳ２１０）。ＣＰＵ２００ｚがバッテリ２１０の充電が完了したと判定すると（ステップＳ２１０：ＹＥＳ）、本フローチャートの処理が終了する。
【００６４】
第２実施形態においても、電子機器１ｚと外部機器２ｚとの接続検出時に充電対象のバッテリを直ぐには切り替えず、この接続が所定時間継続したこと（言い換えると、電子機器１ｚと外部機器２ｚとが確実に接続されたこと）を確認したうえで充電対象のバッテリを切り替えるようにしている。これより、電子機器１ｚと外部機器２ｚとの接続時における充電対象のバッテリの頻繁な入れ替わりが避けられる。バッテリに蓄積されるダメージが抑えられ、バッテリの劣化が抑えられる。
【００６５】
［第２実施形態の変形例］
図７に、第２実施形態の変形例において外部電源が電源端子２５に接続されたときに外部機器２ｚのＣＰＵ２００ｚが実行するフローチャートを示す。
【００６６】
図６のフローチャートでは、ＣＰＵ２００ｚは、電子機器１ｚが外部機器２ｚに所定時間継続して接続されたと判定すると（ステップＳ２０４：ＹＥＳ）、バッテリ１１０の充電を開始する（ステップＳ２０６）。
【００６７】
これに対し、第２実施形態の変形例では、ＣＰＵ２００ｚは、図７に示されるように、電子機器１ｚが外部機器２ｚに所定時間継続して接続されたと判定すると（ステップＳ２０４：ＹＥＳ）、ただちにバッテリ１１０への充電を開始するのではなく、まずは、バッテリ１１０の電圧及びバッテリ２１０の電圧を検出する。より正確には、ＣＰＵ２００ｚは、バッテリ１１０の電圧については、ＣＰＵ１００が検出した電圧の情報をＣＰＵ１００と通信して取得する。
【００６８】
ＣＰＵ２００ｚは、次いで、バッテリ１１０の電圧とバッテリ２１０の電圧とを比較し、何れのバッテリの電圧が低いか（ここではバッテリ１１０の電圧の方が低いか）を判定する（ステップＳ２０４’）。ＣＰＵ２００ｚは、バッテリ１１０の電圧の方が低いと判定した場合（ステップＳ２０４’：ＹＥＳ）、バッテリ１１０の充電を開始する（ステップＳ２０６）。ＣＰＵ２００ｚは、バッテリ２１０の電圧の方が低いと判定した場合には（ステップＳ２０４’：ＮＯ）、バッテリ２１０の充電が完了したか否かを判定し（ステップＳ２１０）、バッテリ２１０の充電が完了したと判定するまでバッテリ２１０の充電を継続する。
【００６９】
第１実施形態の変形例においても、電圧の低いバッテリが優先的に充電される。
【００７０】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００７１】
以下、本発明の実施形態の変形例を幾つか説明する。
【００７２】
［変形例１］
図８（ａ）及び図８（ｂ）は、変形例１に係る電子機器１ｙ及び外部機器２ｙの概略構成を示す図である。
【００７３】
図８（ａ）及び図８（ｂ）に示されるように、電子機器１ｙはインジケータ１６ｙを備え、外部機器２ｙはインジケータ２６ｙを備える。インジケータ１６ｙ及び２６ｙの発光部は、例えばＬＥＤ（Light Emitting Diode）である。
【００７４】
変形例１において、ＣＰＵ１００は、バッテリ１１０の充電中、図８（ａ）に示されるように、インジケータ１６ｙのみを点灯させる。これにより、バッテリ１１０が充電されていることをユーザに報知する。ＣＰＵ１００はまた、バッテリ２１０の充電中、図８（ｂ）に示されるように、インジケータ２６ｙのみを点灯させる。これにより、バッテリ２１０が充電されていることをユーザに報知する。
【００７５】
［変形例２］
図９（ａ）及び図９（ｂ）は、変形例２に係る電子機器１ｘ及び外部機器２ｘの概略構成を示す図である。
【００７６】
図９（ａ）及び図９（ｂ）に示されるように、電子機器１ｘはインジケータ１６ｘを備える。
【００７７】
変形例２において、ＣＰＵ１００は、バッテリ１１０の充電中、図９（ａ）に示されるように、インジケータ１６ｘを点灯させる。これにより、バッテリ１１０が充電されていることをユーザに報知する。ＣＰＵ１００はまた、バッテリ２１０の充電中、図９（ｂ）に示されるように、インジケータ１６ｘを図９（ａ）のときとは異なる色で点灯させる。これにより、バッテリ２１０が充電されていることをユーザに報知する。
【００７８】
図９（ａ）及び図９（ｂ）の例では、何れのバッテリが充電中であるかをユーザが把握できるように、充電中のバッテリに応じてインジケータ１６ｘの色を変えているが、別の変形例では、充電中のバッテリに応じてインジケータ１６ｘの発光パターン（点滅パターンや発光強度等）を変えることにより、何れのバッテリが充電中であるかをユーザに把握させることができるようにしてもよい。
【００７９】
このように、インジケータ１６ｘは、バッテリ１１０とバッテリ２１０の何れが充電中であるかを報知する報知部として動作する。
【００８０】
［変形例３］
図１０（ａ）〜図１０（ｄ）は、変形例３に係る電子機器１ｗ及び外部機器２ｗの概略構成を示す図である。
【００８１】
図１０（ａ）〜図１０（ｄ）に示されるように、変形例３に係る電子機器１ｗは、表示部１７ｗ及び１８ｗを備える。表示部１７ｗは、電子機器１ｗの背面に設けられ、表示部１８ｗは、電子機器１ｗの上面に設けられている。表示部１７ｗ及び１８ｗは、例えば、ＬＣＤ（Liquid Crystal Display）や有機ＥＬ（Electro-Luminescence）より構成される。
【００８２】
変形例３において、ＣＰＵ１００は、バッテリ１１０の充電中、所定のメッセージ（例えば「バッテリ１１０充電中」）を表示部１７ｗに表示（図１０（ａ）参照）又は充電中の機器名（例えば「電子機器１」）を表示部１８ｗに表示（図１０（ｃ）参照）させる。これにより、バッテリ１１０が充電されていることをユーザに報知する。
【００８３】
また、ＣＰＵ１００は、バッテリ２１０の充電中、所定のメッセージ（例えば「バッテリ２１０充電中」）を表示部１７ｗに表示（図１０（ｂ）参照）又は充電中の機器名（例えば「外部機器２」）を表示部１８ｗに表示（図１０（ｄ）参照）させる。これにより、バッテリ２１０が充電されていることをユーザに報知する。
【００８４】
ＣＰＵ１００は、表示部１７ｗと表示部１８ｗの一方だけでなく双方にメッセージ等を表示することにより、何れのバッテリが充電中であるかをユーザに報知してもよい。
【００８５】
表示部１７ｗや表示部１８ｗに表示させるのはメッセージや機器名に限らず、充電中の機器を示すアイコン等の画像であってもよい。
【００８６】
このように、表示部１７ｗ及び１８ｗは、バッテリ１１０とバッテリ２１０の何れが充電中であるかを報知する報知部として動作する。
【００８７】
表示部１７ｗ及び１８ｗは、電子機器１に設けられた操作部材が押されている状態では、何れのバッテリが充電中であるかを示す画面を表示し（例えばＬＣＤのバックライトを点灯し）、電子機器１に設けられた操作部材が押されていない状態では、この画面を表示しない（例えばＬＣＤのバックライトを消灯する）構成であってもよい。
【００８８】
表示部１７ｗ及び１８ｗは、バッテリ１１０とバッテリ２１０の何れが充電中であるかを表示するだけでなく、例えばバッテリ１１０やバッテリ２１０がどの程度充電されたかなど、充電に関する他の情報を表示してもよい。
【００８９】
［変形例４］
図１１は、変形例４に係る電子機器１ｖ及び外部機器２ｖのブロック図である。
【００９０】
図１１に示されるように、電子機器１ｖは、スイッチ１４に代えて、通信モジュール１４ｖ（通信部）を電子機器１ｖの底面近傍に備える。外部機器２ｖは、スイッチ２４に代えて、通信モジュール２４ｖ（通信部）を外部機器２ｖの上面近傍に備える。通信モジュール１４ｖ及び２４ｖは、ＮＦＣ（Near Field Communication）等の所定の無線通信規格に準拠したモジュールである。
【００９１】
変形例４では、ねじ２２が三脚用ねじ穴１２に完全に締まる段階で通信モジュール１４ｖと通信モジュール２４ｖとが近接対向し、両モジュールのアンテナ間での電波の送受が可能となる。ＣＰＵ１００ｖ又は２００ｖは、ねじ２２が三脚用ねじ穴１２に完全に締まり、近接対向する通信モジュール１４ｖと通信モジュール２４ｖ間で通信が行われると（別の観点では、電子機器１ｖと外部機器２ｖとの接続が安定し、この接続が所定時間継続した状態になると）、電子機器１と外部機器２とが接続されたことを検出する。
【００９２】
［変形例５］
図１２は、変形例５に係る電子機器１ｕ及び外部機器２ｕのブロック図である。
【００９３】
図１２に示されるように、外部機器２ｕはＣＰＵを有さない。そのため、変形例５では、ＣＰＵ１００ｕが単独でスイッチ２４の状態、バッテリ２１０の電圧を検出する。
【００９４】
具体的には、変形例５では、図１２に示されるように、スイッチ２４及びバッテリ２１０が接続ピン２３及び接続端子１３を介してＣＰＵ１００ｕと接続される構成となっている。そのため、ＣＰＵ１００ｕは、接続ピン２３経由でスイッチ２４の状態（言い換えると、電子機器１ｕと外部機器２ｕとが接続されたかどうか）やバッテリ２１０の電圧を検出することができる。
【００９５】
［変形例６］
図１３は、変形例６に係る外部機器２ｔの概略構成を示す図である。
【００９６】
図１３に示されるように、外部機器２ｔは接続ピン２３Ｍを備える。上記の実施形態では、接続ピン２３が有する複数のピンは、全て同じ長さを有する。これに対し、変形例６に係る接続ピン２３Ｍは、複数のピンのうち１本のピン（符号２３Ｍａ）だけが他のピン（符号２３Ｍｂ）よりも短くなっている（図１３中、接続ピン２３Ｍの拡大図参照）。
【００９７】
各ピン２３Ｍｂは、ねじ２２が三脚用ねじ穴１２に締められると、接続端子１３との接触状態を維持しつつ接続端子１３によって外部機器２内に徐々に押し込まれる。一方、ピン２３Ｍａは、ねじ２２が三脚用ねじ穴１２に完全に締められたときにはじめて接続端子１３と接触する。変形例６では、接続端子１３とピン２３Ｍａとが接触して電気的に接続されると、ＣＰＵ１００及びＣＰＵ２００は、電子機器１と外部機器２とが接続されたことを検出する。変形例６では、スイッチ１４及びスイッチ２４を構成要素から省くことができる。
【００９８】
［他の様々な変形例］
上記の実施形態（例えば第１実施形態）では、スイッチ１４及びスイッチ２４が備えられているが、他の変形例では、スイッチ１４及びスイッチ２４のうち一方だけが備えられていてもよい。
【００９９】
スイッチ１４だけが備えられる構成を考える。この場合、スイッチ１４は、電子機器１と外部機器２とが接続される際、外部機器２の接続面２ａによって電子機器１内に押し込まれる。ＣＰＵ１００は、スイッチ１４が押し込まれると、電子機器１と外部機器２とが接続されたことを検出する。ＣＰＵ１００は、必要時応じて、電子機器１と外部機器２とが接続されたことを接続端子１３経由でＣＰＵ２００に通知することができる。
【０１００】
スイッチ２４だけが備えられる構成を考える。この場合、スイッチ２４は、電子機器１と外部機器２とが接続される際、電子機器１の接続面１ａによって外部機器２内に押し込まれる。ＣＰＵ２００は、スイッチ２４が押し込まれると、電子機器１と外部機器２とが接続されたことを検出する。ＣＰＵ２００は、必要時応じて、電子機器１と外部機器２とが接続されたことを接続ピン２３経由でＣＰＵ１００に通知することができる。
【０１０１】
また、上記の実施形態では、外部電源と接続される電源端子が電子機器と外部機器の一方にだけ備えられているが、他の変形例では、電源端子が電子機器と外部機器の両方に備えられていてもよい。この場合、一方の機器の電源端子を電子機器と外部機器との接触面に配置してもよい。この配置を採用することにより、電子機器と外部機器との接続時、一方の機器の電源端子が他の機器で覆い隠される。そのため、一方の機器の電源端子を外部衝撃から保護することが可能となる。
【０１０２】
また、他の変形例では、接続端子１３と接続ピン２３とが接触して電気的に接続され、かつＣＰＵ１００とＣＰＵ２００間で接続端子１３及び接続ピン２３を介して所定のプロトコルによる通信が確立したとき（別の観点では、電子機器１と外部機器２との接続が安定し、この接続が所定時間継続した状態になると）、電子機器１と外部機器２とが接続されたことが検出されるようにしてもよい。この場合、スイッチ１４及びスイッチ２４を構成要素から省くことができる。このように、接続端子１３は、外部機器２の接続を電気的に検出するための端子として構成される。
【０１０３】
また、他の変形例では、三脚用ねじ穴１２の深部にスイッチ部材が設けられていてもよい。このスイッチ部材は、ねじ２２が三脚用ねじ穴１２に完全に締められたとき、ねじ２２に押される。ＣＰＵ１００は、このスイッチ部材がねじ２２に押されると、電子機器１と外部機器２とが接続されたことを検出する。この場合も、スイッチ１４及びスイッチ２４を構成要素から省くことができる。
【０１０４】
また、他の変形例では、電子機器１（又は外部機器２）に加速度センサ等の姿勢検出用のセンサが備えられていてもよい。この場合、ＣＰＵ１００（又はＣＰＵ２００）はセンサの出力を監視し、電子機器１（又は外部機器２）の姿勢が一定時間継続したか否かを判定する。ＣＰＵ１００（又はＣＰＵ２００）は、電子機器１と外部機器２とが所定時間継続して接続され、かつ電子機器１（又は外部機器２）の姿勢が一定時間継続したと判定した場合、電子機器１及び外部機器２が安定した場所に置かれ、かつ互いの接続が安定していることから、電子機器１と外部機器２とが接続されたことを検出する。
【符号の説明】
【０１０５】
１  電子機器
２  外部機器
１０  電源端子
１１  蓋
１２  三脚用ねじ穴
１３  接続端子
１４  スイッチ
２０  バッテリトレー
２１  ディスク
２２  ねじ
２３  接続ピン
２４  スイッチ
１００  ＣＰＵ
１００ａ  タイマ
１１０  バッテリ
１２０  充電制御回路
１３０  切替スイッチ
２００  ＣＰＵ
２００ａ  タイマ
２１０  バッテリ
【図１】
2020150704.tif 000003
【図２】
2020150704.tif 000004
【図３】
2020150704.tif 000005
【図４】
2020150704.tif 000006
【図５】
2020150704.tif 000007
【図６】
2020150704.tif 000008
【図７】
2020150704.tif 000009
【図８】
2020150704.tif 000010
【図９】
2020150704.tif 000011
【図１０】
2020150704.tif 000012
【図１１】
2020150704.tif 000013
【図１２】
2020150704.tif 000014
【図１３】
2020150704.tif 000015